(57)【要約】【課題】髪をカールさせかつ長く持続するカールを付与するための迅速かつ容易な方法を提供すること。【解決手段】ヘアスタイリング装置は、第１および第２のアームであって、第１のアームの接触面が第２のアームの接触面に近接する閉ポジションと、各アームの接触面が離間される開ポジションとの間で移動でき、それによって、各アームの接触面が、使用時にアームが閉ポジションにある場合に髪の一部が接触面間にクランプされるように、相補的な形状を有する、第１および第２のアームを備える。接触面の少なくとも一方における加熱領域が、接触面間の髪の上記部分を加熱するために設けられる。接触面の少なくとも一方における冷却領域が、髪の一部が加熱された後に髪のその部分を冷却するために設けられる。冷却領域が湾曲しており、それによって、使用時に、ヘアスタイリング装置が略直線様式で髪の一部に沿って移動されると同時に髪のその部分がカールされる。【選択図】図６
2018047321.tif 000002
【特許請求の範囲】
【請求項１】
ヘアスタイリング装置であって、
第１および第２のアームであって、前記第１のアームの接触面が前記第２のアームの接触面に近接する閉ポジションと、各アームの接触面が離間される開ポジションと、の間で移動可能であり、それによって、各アームの接触面が、使用時に前記アームが閉ポジションにある場合に髪の一部が前記接触面間にクランプされるように、相補的な形状を有する、第１および第２のアームと；
前記接触面間で髪の一部を加熱するための、前記接触面の少なくとも一方における加熱領域と；
髪の一部が加熱された後に髪の当該部分を冷却するための、前記接触面の少なくとも一方における冷却領域と；
を備え、
前記冷却領域が湾曲しており、それによって、使用時に、前記ヘアスタイリング装置が略直線様式で髪の一部に沿って移動されるにつれて髪の当該部分がカールされることを特徴とするヘアスタイリング装置。
【発明の詳細な説明】
【技術分野】
【０００１】
本発明は、ヘアスタイリング装置、特に髪をカールさせるためのヘアスタイリング装置に関するものである。
【背景技術】
【０００２】
髪をカールさせかつストレートにするためにさまざまなヘアスタイリング装置が存在する。そうした装置の一例としてエアブラシまたはエアスタイリング装置が公知である。そのようなスタイリング装置は、スタイル（および／または量）を整えるために髪に向けて供給される加熱された空気流を発生させる。いくつかのスタイリング装置において、加熱された空気流が加圧されて供給される。一般的にはエアブラシは、素早くかつ容易にスタイルを付与することはできない。なぜなら、迅速にスタイルを付与するには空気の温度が低すぎる（１１０℃しかない）からである。さらにその熱は効率的に髪に伝達されない。この製品において空気流が加圧されていることを考慮しても、その空気圧は、髪を空気を通過させて髪に熱を伝えるには低すぎる。結果として、空気流は、髪を通過しない「より安易な」経路に流れる傾向がある。そのパフォーマンスは、例えば空気流を小さな孔を通過させることによってその圧力を増大させかつ温度を高めることによって向上できる。
【０００３】
カーリングのための別の装置として棒状または舌状の器具が知られている。この装置は、加熱される略円筒形状の胴部分を備える。髪の一部が胴部分の周囲に巻き付けられ、当該装置が前記胴部分の表面から髪の当該部分に熱を供給する。しかしながらその熱伝達には時間がかかり、髪に熱を伝える方法としては非常に非効率的である（髪は断熱材である）。胴部分にセラミック製ヒータを使用することで熱応答性が向上されることが知られている。しかしながらこれは、髪に熱を伝達する非効率的な方法に対処するものではない。
【０００４】
セラミック製ヒータはヘアストレート装置にも使用される。髪に熱を伝達するこの非効率的な方法は、そうしたデバイスにおいて、２つの加熱プレートを設けてこれらプレート間に髪を配置させることによって対処される（例えば本願の出願人による特許文献１を参照されたい。当該文献はこの参照によって本明細書に組み込まれる）。これは、髪への熱伝達に非常に効率的な方法であり、速い熱応答性を提供する。さらに、そうしたスタイリング装置は、通常、髪のうちプレート間に配置された部分全体へのかつその部分全体にわたる熱伝達の効率性に起因して、長持ちするスタイルを付与する。そうしたヘアストレート装置は、ヘアストレート装置を１８０°回転させることによって髪をカールさせるよう使用できる。しかしながら、同じ方向にカールする髪を形成するためには回転方向に気を付ける必要がある。
【０００５】
特許文献２には、一対の平坦な加熱されるヘアスタイリング面と、スタイリングされた直後の髪から熱を奪うためにスタイリング面に隣接して配置される冷却装置と、を備えるヘアストレート装置が開示される。同様に、引用文献３には、加熱部材と冷却部材とを有するヘアストレート装置が開示される。いずれにおいても、髪へのダメージを防止しかつより持続したスタイルを付与するために、髪は加熱部材から離れると冷却される。
【０００６】
他の例および技術は、以下の特許文献４〜１１から明らかである。
【先行技術文献】
【特許文献】
【０００７】
【特許文献１】英国特許第２４７７８３４号明細書
【特許文献２】国際公開第２００８／０６２２９３号パンフレット
【特許文献３】国際公開第２００７／０００７００号パンフレット
【特許文献４】独国特許出願公開第１０２０１００６２７１５号明細書
【特許文献５】韓国特許第１００９５３４４６号明細書
【特許文献６】独国特許出願公開第１０２０１００６１９０７号明細書
【特許文献７】韓国特許第１００９５９７９２号明細書
【特許文献８】独国特許第１９７４８０６７号明細書
【特許文献９】英国特許第２４５９５０７号明細書
【特許文献１０】米国特許出願公開第２０１０／０１５４８１７号明細書
【特許文献１１】国際公開第２００８／０６２２９３号パンフレット
【発明の概要】
【発明が解決しようとする課題】
【０００８】
本出願人は、髪をカールさせかつ長く持続するカールを付与するための迅速かつ容易な方法を提供する改良された装置が必要とされていることを見出した。
【課題を解決するための手段】
【０００９】
本発明の第１の態様によれば、第１のアームおよび第２のアームであって、第１のアームの接触面が第２のアームの接触面に隣接する閉ポジションと各アームの接触面が離間される開ポジションとの間で移動でき、それによって使用時にアームが閉ポジションにある場合に髪の一部が接触面間にクランプされるように、アームそれぞれの接触面が相補的な形状を有する、第１および第２のアームと；接触面間の髪の一部を加熱するための、接触面の少なくとも一方における加熱領域と、髪の一部が加熱された後に髪の当該部分を冷却するための、接触面の少なくとも１つにおける冷却領域と、を備えており、このものにおいて、冷却領域が湾曲しており、それによって使用時に、ヘアスタイリング装置が略直線様式で髪の一部に沿って移動されるにつれて髪のその部分がカールされる、ヘアスタイリング装置が提供される。
【００１０】
そうした装置は使用が容易である。一対のアームが開放されて、これらアーム間に髪の一部が配置され、次いでアームが閉じられる。続いて、この装置は、ヘアストレート装置が髪をストレートにする様式と同じ様式でカールを付与するように、髪にわたって引っ張られる。この動きは直線的である。いくつかの構成においては、装置の周囲で髪をひねる必要も、装置を頭部に対してひねる必要もない。なおいくつかの変形例においては、装置は、使用時に髪に対して９０°までひねられてもよい。
【００１１】
冷却領域は、好ましくは、加熱領域のすぐ隣に設けられる。それによって髪は、その最も高温となるポイントで冷却される。冷却領域は、使用時にこれら冷却領域が加熱領域より低い温度となるため、そのように称される。本出願人は、髪を冷却しかつその形状を維持するにはこれが最も効果的な配置であることを見出した。さらに、冷却領域の曲率は、加熱領域のすぐ隣において最大となってもよい。この場合も先と同様にカーリングが向上される。
【００１２】
加熱領域は少なくとも１６０℃に髪を加熱してもよい。冷却領域は、９０℃から１６０℃に髪を冷却してもよい。
【００１３】
冷却領域は、加熱領域が髪を加熱する温度未満の温度に髪を加熱するように、さらに構成される。髪が少なくとも１６０℃まで加熱される構成において、冷却領域における熱は、より低い温度になされてもよく、好ましくは９０から１６０℃まで髪を加熱し、より好ましくは約９０℃まで冷却領域にある髪を加熱／冷却するようなされてもよい。冷却領域の温度は、冷却領域の温度を調整された作動温度に上昇させるためにスタイリング装置が始めにスイッチを入れられた際に、特に有用となり得る一定の温度に調整されてもよい。これは、より一貫性のあるスタイリングをもたらし得る。
【００１４】
接触面のそれぞれが加熱領域を備えてもよく、これら加熱領域は、アームが閉ポジションにある場合にこれら加熱領域が隣接するよう整列される。この方法において、髪の一部は２つの加熱領域と直接接触し、それにより熱伝達性が向上される。加熱領域の一方またはそのそれぞれが、ヘアスタイリング装置内のヒータに熱接触する加熱可能なプレートであってもよい。
【００１５】
接触面のそれぞれは冷却領域を備えてもよく、これら冷却領域は、アームが閉ポジションにある場合に冷却領域が隣接するように整列される。この方法において、髪の一部は２つの冷却領域と直接接触する。
【００１６】
冷却領域の一方またはそのそれぞれは、例えば伝導プレートまたは伝導部材を使用することによって、伝導性のあるものとすることができる。そうした伝導プレートは、使用の合間に／ストローク間に、生じた熱を環境中に放散するのに十分な表面積を有してもよい。代替的には、伝導プレートは、流体冷却システムと関連して使用されてもよい。使用の合間に伝導面を冷却するために流体（例えば空気）が使用されてもよい。そうした伝導部材は、例えば金属ロッドまたは金属から機械加工されたまたは鋳造された形態のものであってもよい。
【００１７】
代替的には、冷却領域の一方またはそのそれぞれは、単独の流体冷却システムによって提供されてもよい。他の構成において、流体冷却システムは、伝導体（伝導プレートまたは伝導部材など）と併せて使用されてもよい。
【００１８】
流体は、高圧で冷却領域に供給されてもよい。流体の圧力および／または流量は、カーリングを向上させるよう調整されてもよい。
【００１９】
流体冷却システムは、冷却領域の一方またはそのそれぞれに空気流を供給するよう構成されたファンを備えてもよい。ファンは、好ましくは、アームの一方または両方へ向けて本体を通過する導管とともに装置の本体に収容されてもよい。
【００２０】
冷却領域は、例えば流体の流動のための、伝導プレートまたは伝導部材を通過し得る１つ以上の導管を備えてもよい。これら導管は、能動的な冷却のために使用されてもよい。導管は、伝導プレートまたは伝導部材の冷却のために、伝導プレートまたは伝導部材を通るよう経路付けられてもよい。
【００２１】
髪との良好な熱接触を確実なものとすることが重要である。そのため、接触面のそれぞれは、各接触面がそのアームに対してある程度移動できるようにする弾性サスペンションで支持されてもよい。これは、髪と接触面との接触性を向上させる。
【００２２】
冷却領域の少なくとも一方またはそのそれぞれは、加熱領域および冷却領域から離れて冷却された髪の一部をガイドするよう配置されたガイド部材をさらに備えてもよい。使用時に、ヘアスタイリング装置は、スタイリングされた髪が冷却領域を介してその経路とは逆方向にひねられるように髪が冷却領域を離れるとすぐに９０°ひねられるように、頭部に対して所定の角度で保持されてもよい。このような逆方向に髪がひねられる際にヘアスタイルを損なう可能性のあるさらなる冷却を最小限にするために、ガイド部材は、冷却を最小にするよう熱伝導率の乏しい材料から形成されてもよい。そうした材料は、装置のハウジングの材料（例えばライナイト）であってもよい。
【００２３】
冷却領域のそれぞれが上述のガイド部材を備えてもよい。そうした構成において、一方のガイド部材は凸状であってもよく、かつ他方のガイド部材は、両方のガイド部材が互いにぴったりフィットするように、適合する凹形状を有してもよい。ガイド部材はまた、加熱領域の両側の冷却領域の両方に設けられていてもよい。
【００２４】
各アームは、略細長状のものであってもよく、かつ前記加熱領域は、アームの少なくとも一方の長さの少なくとも一部あるいはその大部分に沿って延在している。同様に冷却領域も、アームの少なくとも一方の長さの少なくとも一部またはその大部分に沿って延在してもよい。
【００２５】
カーリングに関して、湾曲した冷却領域で髪が冷却される前に髪を加熱することが重要である。装置の一構成は、単一の冷却区域と単一の加熱区域とを備えてもよい。冷却区域は、接触面の一方または両方に冷却領域を備えてもよい。同様に加熱区域も、接触面の一方または両方に加熱領域を備えてもよい。そうした装置において、使用者は、カーリングの発生を確実なものとするために、確実に装置を髪に対して正しい方向に移動させる必要がある。
【００２６】
代替案として、装置は髪の一部が加熱された後に髪の当該部分を冷却するために２つの冷却区域を備えていてもよく、これら冷却区域は加熱領域の両側に配置される。冷却区域は、接触面の一方または両方に冷却領域を備えてもよい。そうした装置において、髪は加熱後に常に冷却される。そのため、使用方向は重要な意味をもたなくなる。そうした装置は、両手利き用(ambidextrous)と称されてもよい。アームが細長形状である場合、２つの冷却領域はいずれも、アームの少なくとも一方の長さの少なくとも一部またはその大部分に沿って延在してもよく、かつ加熱領域の両側に配置される。
【００２７】
当該装置は、加熱された髪から吸収される熱を両方の冷却領域間で伝達するために、２つの冷却領域を熱連結するよう構成された熱伝達手段をさらに備えてもよい。熱伝達手段は、加熱領域の両側の冷却領域間に、一方の冷却領域から他方の冷却領域へ熱が伝達され得るように熱結合を提供してもよい。熱伝達手段は、伝導プレートまたはヒートパイプを備えてもよい。熱伝達手段は、冷却のための表面積を増大させるために１つ以上の冷却フィンをさらに備えてもよい。２つの冷却区間は熱連結されているという事実は、使用時に、髪が装置に進入する際に、加熱されてスタイリングされた髪が出てくる冷却領域からの熱が他方の冷却領域に伝達されることを意味する。これは、入口側にある冷却領域が、髪が加熱領域を通過する前に、所定のレベルの予加熱をもたらし得ることを意味する。熱伝達手段／「ヒートブリッジ」は、さらに、本発明の第２の態様に関連して説明されるファンまたは他の特徴部と併せて使用されてもよい。このときファンは例えば冷却効果をさらに向上させ得、ヒートブリッジや後述の突出フィンを横断するよう空気流が吹き付けられる。
【００２８】
本発明の第２の態様によれば、第１および第２のアームであって、第１のアームの接触面が第２のアームの接触面に近接する閉ポジションと各アームの接触面が離間される開ポジションとの間で移動可能であり、それによって使用中にアームが閉ポジションにある場合に髪の一部が接触面間にクランプされるようにアームそれぞれの接触面が相補的な形状を有する、第１および第２のアームと；接触面間にある髪の部分を加熱するための接触面の少なくとも１つにおける加熱領域と、髪の当該部分を冷却するための接触面の少なくとも一方における２つの冷却領域であって、加熱領域の両側に配置される冷却領域と；２つの冷却領域を熱連結するよう構成された熱伝達手段と、を備えるヘアスタイリング装置が提供される。
【００２９】
２つの冷却領域が、１つずつ加熱領域の片側にあるように設けられるという事実は、髪がスタイリング装置を通るよう引っ張られる方向に関わらず、２つの冷却領域を連結する熱伝達手段が、２つの冷却領域間で熱伝達可能であることを意味する。そのため、スタイリング装置を使用するために使用者が選択する方向がどのようなものであっても冷却領域の一方によって予加熱効果がもたらされる。
【００３０】
そうした装置は使用が簡単である。一対のアームが開放されると、アームの間に髪の一部が配置され、次いでアームが閉じられる。続いて装置は、髪をスタイリングするために髪にわたって引っ張られる。ストレートにする場合、髪は加熱され、その後、ストレートのヘアスタイルを維持するよう冷却される。カールさせる場合、この装置は、ヘアストレート装置が加熱および冷却によって髪をストレートにする様式と同様の様式でカールを形成するのではなく、髪にカールをセットするために湾曲した冷却領域を通じて冷却する。冷却領域は、好ましくは、少なくとも１つのアームにおける加熱領域の両側において接するよう隣接しており、かつアームにおける一方の冷却領域から他方の冷却領域へ熱を伝達できるように熱伝達手段／熱伝導体によって熱連結されている。いくつかの構成は、アームの両方に冷却領域を有してもよい。使用時に、髪が加熱後に冷却領域を通過する場合、髪から奪われた熱は、当該冷却領域に吸収される。この「後加熱(post heating)」冷却領域は冷たいままにすること、好ましくは冷却領域のプレート温度を約５０℃に保持することを確実にするために、冷却領域は、当該「後加熱」冷却領域からの熱伝達のためのヒートブリッジによって熱連結されている。これのさらなる効果の１つとして、髪が加熱領域に到達する前に髪が通過する冷却領域に熱を誘導することが挙げられる。このとき、効率性の向上のために、髪は加熱領域に入る前に「予加熱」され、髪の加熱およびスタイリングをより速めることができる。逆に使用された場合、「後加熱」冷却領域および「予加熱」冷却領域の機能が入れ替わる。
【００３１】
本発明の第２の態様に関連して本明細書に記載した他の特徴部は、本発明の他の態様に等しく適用される。当業者には、本発明の第２の態様に関連して説明された、いくつかの特徴部が熱伝達手段の設置次第であることが明らかであろう。なお、当業者には、多くの特徴部がそうした熱伝達手段に左右されず、かつ本発明の第１の態様や他の態様により幅広く適応可能であることも明らかであろう。
【００３２】
いくつかの構成において、ヘアスタイリング装置は、冷却領域の温度を調整するよう構成された温度調節手段を備えてもよい。そうした調整装置は、温度を検知するために冷却領域に熱連結された温度センサと、使用時に冷却領域の温度が加熱領域の温度まで調整されるように検知された温度に基づいて冷却領域の加熱または冷却を制御するよう構成された制御回路と、を備えていてもよい。いくつかの構成において、好ましくは、冷却領域の温度を、１６０°以上の加熱領域の温度よりも低い５０℃（またはそれ以上）に調整してもよい。そのため、好ましくは、冷却領域における髪の温度は５０℃から１６０℃に調整されてもよい。いくつかの実施形態においては、その温度は、９０℃から１６０℃に調整されれば十分である。
【００３３】
接触面の形状は、所望のカーリング効果をもたらすよう構成されてもよい。例えば、湾曲面の曲率半径および／または表面積は、所望のカーリング効果を提供するよう設計されてもよい。
【００３４】
加熱領域の一方またはそのそれぞれは、略平坦であってもよく、あるいは湾曲していてもよい。湾曲した加熱領域を設けることは、反対方向に冷却領域に導入された湾曲部が、略平行な方向におけるスタイリング装置への髪の出入りを可能にし、そうしたスタイリング装置をより容易に使用できるようにすることを意味する。湾曲した冷却領域と同様に、一方のアームにおいて加熱領域が凸状であってもよく、かつ他方のアームは、適合する凹形状を有している。
【００３５】
加熱領域の一方またはそのそれぞれは、アームの開閉方向に平行であってもよい。あるいは、加熱領域の一方またはそのそれぞれは、アームの開閉方向に対して傾斜していてもよい。加熱領域の角度を変更すると、冷却領域の曲率が変化する。
【００３６】
アームの一方における冷却領域は凸形状であってもよく、他方のアームの接触面は、適合する凹形状を有している。あるいは、アームの一方における冷却領域は凹形状であってもよく、他方のアームの接触面は、適合する凸形状を有している。各アームに冷却領域が設けられる場合、その一方が凸形状であってもよく、かつ他方が適合する凹形状を有してもよい。凸形状の冷却領域は２ｍｍから１０ｍｍの半径、例えば６ｍｍの半径を有していてもよい。したがって他方のアームにおける適合する凹形状は、アームが閉じた際にぴったりとフィットするように、同じであるかまたは十分に相似するものであってもよい。
【００３７】
冷却領域の曲率は、より複雑であってもよい。例えば、アームの一方における冷却領域は少なくとも２つの湾曲を有していてもよく、他方のアームの接触面はそれに適合する形状を有している。曲率がどのようなものであっても、２つの接触面の形状は、良好な接触を保証するために略平行である。
【００３８】
上記装置は、さらに接触面の少なくとも一方における冷却領域の一方またはそのそれぞれと加熱領域との間に断熱材を備えてもよい。断熱材は、加熱領域と冷却領域との間の熱伝達を最小にする。適切な断熱材の一例としてエアロゲルが挙げられる。
【００３９】
冷却領域において、装置は、伝導プレートまたは伝導部材からの熱を吸収するために使用される相変化材料をさらに備えてもよい。そうした相変化材料はまた、さらなる冷却方法を提供するために熱伝達手段に連結されていてもよい。
【００４０】
本発明のさらなる態様によれば、第１および第２のアームであって、第１のアームの接触面が第２のアームの接触面に近接する閉ポジションと各アームの接触面が離間される開ポジションとの間で移動可能であり、それによって、使用時にアームが閉ポジションにある場合に接触面間に髪の一部がクランプされるようにアームそれぞれの接触面が相補的な形状を有する、第１および第２のアームと；接触面間の髪の当該部分を加熱するための、接触面の少なくとも１つにおける湾曲した加熱領域と、髪の一部が加熱された後に髪の当該部分を冷却するための、接触面の少なくとも一方における２つの冷却領域と；を備えるヘアスタイリング装置が提供される。
【００４１】
いくつかの実施形態において、接触面のそれぞれは２つの冷却領域を備えてもよく、アームが閉ポジションにある場合に一対の第１の冷却領域が隣接しかつ一対の第２の冷却領域が隣接するように、接触面のそれぞれにおける冷却領域それぞれ第１の冷却領域が整列され、かつ各アームにおける第２の冷却領域それぞれの第２の冷却領域が整列される。これにより、スタイリング装置は両方向に使用されてもよい。
【００４２】
いくつかの構成において、冷却領域の両方または少なくとも１つが湾曲しており、それにより、使用時に、ヘアスタイリング装置が略直線様式で髪の一部に沿って移動されるにつれて、髪の当該部分がカールされる。これにより、髪の当該部分がカールできるようになる。ヒータの両側の冷却領域がいずれも湾曲している場合には、ヘアスタイリング器具は、髪をカールさせるために両方向に使用され得る。一側のみが湾曲しており他側が略平坦である場合、ヘアスタイリング器具は、髪をカールするためには一方の方向に使用され、髪をストレートにするために他の方向に使用されてもよい。
【００４３】
いくつかの構成において、一方のアームにおける冷却領域の両方または少なくとも１つは凸状であり、かつ他方のアームの接触面は、適合する凹形状を有する。この方法において、一方のアームにおける冷却領域は、これら冷却領域が、髪のうち冷却される部分の周囲にぴったりフィットするように、他方のアームにおける冷却領域に対して相補的な形状を形成する。これにより、より効果的な冷却が実現されてもよい。
【００４４】
冷却領域の少なくとも一方が湾曲していてもよく、それによって、使用時に、ヘアスタイリング装置が略直線的な様式で髪の一部に沿って移動されるにつれて、髪の当該部分がカールされる。これは、向上されたカーリング能力を提供する。
【００４５】
他の構成において、冷却領域の少なくとも一方は、使用時にヘアスタイリング装置が略直線的な様式で髪の一部に沿って移動される場合に、髪の当該部分がストレートとなるように、略平坦であってもよい。
【００４６】
本発明の態様のいずれかにおける熱伝達手段は、例えば、伝導プレート、１つ以上の伝導部材またはヒートパイプであってもよい。いくつかの構成において、熱伝達手段は、冷却領域をさらに冷却するための１つ以上の冷却フィンをさらに備えてもよい。そうした冷却フィンは、冷却領域における加熱プレートとスタイリング装置のハウジングとの間の空間へ突出していてもよい。そうした構成において、熱伝達手段および／または冷却領域をさらに冷却するために当該空間に空気が流入してもよい。
【００４７】
接触面のそれぞれが加熱領域を備えていてもよい。これら加熱領域は、アームが閉ポジションにある場合にこれら加熱領域が隣接するように整列されてもよい。これは、髪への熱伝達性を向上させる。加熱領域の一方またはそのそれぞれは、ヘアスタイリング装置内のヒータと熱接触する加熱プレートであってもよい。
【００４８】
接触面は、両方のアームが２つの冷却領域を有するように、それぞれ２つの冷却領域を備えてもよい。アームが閉ポジションにある場合に一対の第１の冷却領域が隣接しかつ一対の第２の冷却領域が隣接するように、接触面のそれぞれにおける各冷却領域の第１のもの（例えば「後加熱」冷却領域）が整列されてもよく、かつ各冷却領域の第２のもの（例えば「予加熱」冷却領域）が整列されてもよい。これは髪の冷却性を向上させる。
【００４９】
いくつかの構成において、冷却領域の少なくとも１つは、加熱領域および冷却領域から離れて冷却された髪の一部をガイドするよう配置されたガイド部材をさらに備えてもよい。使用時に、ヘアスタイリング装置は、スタイリングされた髪が冷却領域を介してその経路に対して逆方向にひねられるように髪が冷却領域を離れてすぐに９０°ひねられるように頭部に対して所定の角度で保持されてもよい。このような逆方向に髪がひねられる場合の、ヘアスタイルを損なう可能性のあるさらなる冷却を最小にするために、ガイド部材は、冷却を最小にするような熱伝導性の乏しい材料から形成されてもよい。
【００５０】
いくつかの構成において、一対の第１の冷却領域のそれぞれが、ガイド部材を備えていてもよい。一方のガイド部材が凸状であってもよく、かつ他方のガイド部材は、これらガイド部材がぴったりフィットするように適合する凹形状を有してもよい。さらなる構成において、第１および第２の対の冷却領域がガイド部材を有していてもよい。この方法において、スタイリング装置は、両方向に使用できかつ両方向に同じ効果を提供できる。
【００５１】
いくつかの構成において、加熱領域の一方またはそのそれぞれは略平坦である。さらに、いくつかの構成において、アームの一方における冷却領域の少なくとも１つが凸状であり、かつ他方のアームの接触面は、それらが互いにぴったりフィットするように、適合する凹形状を有している。これら構成は、両方の冷却領域が凸形状を有する一方のアームと、両方の冷却領域が凹形状を有する他方のアームと、を有していてもよい。他の変形例において、一方のアームは、凸形状を有する１つの冷却領域と、凹形状を有する他の冷却領域と、を有していてもよい。後者の場合において、他方のアームはまた、これら冷却領域が互いにぴったりフィットするような各形状のうち一方を有していてもよい。
【００５２】
他の構成において、加熱領域の一方またはそのそれぞれが湾曲していてもよい。湾曲した加熱領域を設けることは、反対方向において冷却領域に導入された湾曲により、髪が略平行な方向にスタイリング装置に出入り可能となり、スタイリング装置を容易に使用できるようになることを意味する。湾曲した冷却領域と同様に、一方のアームにおいて、加熱領域は凸状であってもよく、かつ他方のアームはそれに適合する凹形状を有する。
【００５３】
上記特徴は、本発明の上述の他の態様に適用されてもよい。
【００５４】
以下、本発明のより良い理解のために、また本発明がどのように実施されるかを示すために、本発明について、添付の図面を参照して単なる一例として説明する。
［付記項１］
ヘアスタイリング装置であって、
第１および第２のアームであって、前記第１のアームの接触面が前記第２のアームの接触面に近接する閉ポジションと、各アームの接触面が離間される開ポジションと、の間で移動可能であり、それによって、各アームの接触面が、使用時に前記アームが閉ポジションにある場合に髪の一部が前記接触面間にクランプされるように、相補的な形状を有する、第１および第２のアームと；
前記接触面間で髪の一部を加熱するための、前記接触面の少なくとも一方における加熱領域と；
髪の一部が加熱された後に髪の当該部分を冷却するための、前記接触面の少なくとも一方における冷却領域と；
を備え、
前記冷却領域が湾曲しており、それによって、使用時に、前記ヘアスタイリング装置が略直線様式で髪の一部に沿って移動されるにつれて髪の当該部分がカールされることを特徴とするヘアスタイリング装置。
［付記項２］
前記接触面のそれぞれが加熱領域を備えており、前記加熱領域は、前記アームが前記閉ポジションにある場合にこれら加熱領域が隣接するように整列されることを特徴とする付記項１に記載の装置。
［付記項３］
前記加熱領域の一方または両方が、前記ヘアスタイリング装置内のヒータと熱接触する加熱プレートであることを特徴とする付記項１または付記項２に記載の装置。
［付記項４］
前記接触面のそれぞれが冷却領域を備えており、前記冷却領域は、前記アームが前記閉ポジションにある場合にこれら冷却領域が隣接するように整列されることを特徴とする付記項１から付記項３のいずれか一項に記載の装置。
［付記項５］
前記冷却領域の少なくとも一方またはそのそれぞれが、前記加熱領域および冷却領域から離れて、冷却された髪の一部をガイドするよう位置決めされたガイド部材をさらに備えることを特徴とする付記項１から付記項４のいずれか一項に記載の装置。
［付記項６］
前記冷却領域のそれぞれがガイド部材を備えており、かつ前記ガイド部材の一方が凸状であり、かつ前記ガイド部材の他方は、適合する凹形状を有することを特徴とする、付記項４を引用する付記項５に記載の装置。
［付記項７］
髪の一部が加熱された後に髪の当該部分を冷却するために２つの冷却領域を備えており、前記冷却領域は、前記加熱領域の両側に配置されていることを特徴とする付記項１から付記項６のいずれか一項に記載の装置。
［付記項８］
前記２つの冷却領域を熱連結するよう構成された熱伝達手段をさらに備えることを特徴とする付記項７に記載の装置。
［付記項９］
前記熱伝達手段は、伝導プレートまたは伝導部材を備えることを特徴とする付記項８に記載の装置。
［付記項１０］
前記熱伝達手段は、ヒートパイプを備えることを特徴とする付記項８または付記項９に記載の装置。
［付記項１１］
前記熱伝達手段は、１つ以上の冷却フィンを備えることを特徴とする付記項８、付記項９、または付記項１０に記載の装置。
［付記項１２］
前記冷却領域は、前記アームの少なくとも一方の長さの少なくとも一部に沿って延在することを特徴とする付記項１から付記項１１のいずれか一項に記載の装置。
［付記項１３］
２つの冷却領域を備えており、前記冷却領域の両方が、前記アームの少なくとも一方の長さの少なくとも一部に沿って延在しており、かつ前記加熱領域の両側に配置されていることを特徴とする付記項７から付記項１１のいずれか一項に記載の装置。
［付記項１４］
前記加熱領域の一方またはそのそれぞれが、略平坦であることを特徴とする付記項１から付記項１３のいずれか一項に記載の装置。
［付記項１５］
前記加熱領域の一方またはそのそれぞれが、湾曲していることを特徴とする付記項１から付記項１３のいずれか一項に記載の装置。
［付記項１６］
前記加熱領域の一方またはそのそれぞれが、前記アームの開閉方向に対して角度付けられていることを特徴とする付記項１４に記載の装置。
［付記項１７］
前記アームの一方における前記冷却領域は、凸状であり、かつ前記アームの他方における前記接触面は、適合する凹形状を有することを特徴とする付記項１から付記項１６のいずれか一項に記載の装置。
［付記項１８］
前記凸状の冷却領域は、２ｍｍから１０ｍｍ、特に６ｍｍの半径を有することを特徴とする付記項１７に記載の装置。
［付記項１９］
前記アームの一方における前記冷却領域は、少なくとも２つの湾曲部を有しており、かつ前記アームの他方の前記接触面は、適合する形状を有することを特徴とする付記項１から付記項１８のいずれか一項に記載の装置。
［付記項２０］
ヘアスタイリング装置であって、
第１および第２のアームであって、前記第１のアームの接触面が前記第２のアームの接触面に近接する閉ポジションと、各アームの接触面が離間される開ポジションと、の間で移動可能であり、それによって、各アームの接触面が、使用時に前記アームが閉ポジションにある場合に髪の一部が前記接触面間にクランプされるように、相補的な形状を有する、第１および第２のアームと；
前記接触面間において髪の一部を加熱するための、前記接触面の少なくとも一方における湾曲加熱領域と；
髪の一部が加熱された後に髪の当該部分を冷却するための、前記接触面の少なくとも一方における冷却領域と；
を備えることを特徴とする装置。
［付記項２１］
前記接触面のそれぞれが２つの冷却領域を備えており、各接触面における各冷却領域の第１の冷却領域が整列され、かつ各アームにおける各冷却領域の第２の冷却領域が整列され、それにより、前記アームが閉ポジションにある場合に一対の第１の冷却領域が隣接しかつ一対の第２の冷却領域が隣接するようになることを特徴とする付記項２０に記載のヘアスタイリング装置。
［付記項２２］
前記冷却領域または前記冷却領域の少なくとも一方は湾曲しており、それによって、使用時に、前記ヘアスタイリング装置が略直線様式で髪の一部に沿って移動されるにつれて髪の当該部分がカールされることを特徴とする付記項２０または付記項２１に記載のヘアスタイリング装置。
［付記項２３］
前記アームの一方における前記冷却領域の両方または前記冷却領域の少なくとも一方は凸状であり、他方の前記アームの前記接触面は、適合する凹形状を有することを特徴とする付記項２２に記載のヘアスタイリング装置。
［付記項２４］
ヘアスタイリング装置であって、
第１および第２のアームであって、前記第１のアームの接触面が前記第２のアームの接触面に近接する閉ポジションと、各アームの接触面が離間される開ポジションと、の間で移動可能であり、それによって、各アームの接触面が、使用時に前記アームが閉ポジションにある場合に髪の一部が前記接触面間にクランプされるように、相補的な形状を有する、第１および第２のアームと；
前記接触面間で髪の一部を加熱するための、前記接触面の少なくとも一方における加熱領域と；
髪の当該部分を冷却するための、前記接触面の少なくとも一方における２つの冷却領域であって、前記加熱領域の両側に配置された、２つの冷却領域と；
前記２つの冷却領域を熱連結するよう構成された熱伝達手段と；
を備えることを特徴とするヘアスタイリング装置。
［付記項２５］
前記冷却領域の少なくとも一方が湾曲しており、それによって、使用時に、前記ヘアスタイリング装置が略直線様式で髪の一部に沿って移動されるにつれて髪の当該部分がカールされることを特徴とする付記項２４に記載のヘアスタイリング装置。
［付記項２６］
前記冷却領域の少なくとも一方は略平坦であることを特徴とする付記項２４または付記項２５に記載のヘアスタイリング装置。
［付記項２７］
前記接触面のそれぞれは、加熱領域を備えており、前記加熱領域は、前記アームが閉ポジションにある場合にこれら加熱領域が隣接するように整列されることを特徴とする付記項２４または付記項２５、または付記項２６に記載の装置。
［付記項２８］
前記加熱領域の一方または両方が、前記ヘアスタイリング装置内のヒータと熱接触する加熱プレートであることを特徴とする付記項２４から付記項２７のいずれか一項に記載の装置。
［付記項２９］
前記接触面のそれぞれが２つの冷却領域を備えており、各接触面における各冷却領域の第１の冷却領域が整列され、かつ各アームにおける各冷却領域の第２の冷却領域が整列され、それにより、前記アームが閉ポジションにある場合に一対の第１の冷却領域が隣接しかつ一対の第２の冷却領域が隣接するようになっていることを特徴とする付記項２４から付記項２８のいずれか一項に記載の装置。
［付記項３０］
前記冷却領域の少なくとも一方は、前記加熱領域および冷却領域から離れて、冷却された髪の一部をガイドするよう位置決めされたガイド部材をさらに備えることを特徴とする付記項２４から付記項２９のいずれか一項に記載の装置。
［付記項３１］
前記一対の第１の冷却領域のそれぞれがガイド部材を備えており、かつ前記ガイド部材の一方が凸状であり、かつ前記ガイド部材の他方は、適合する凹形状を有することを特徴とする、付記項２９を引用する付記項３０に記載の装置。
［付記項３２］
前記熱伝達手段は、伝導プレートまたは伝導ロッドを備えることを特徴とする付記項２４から付記項３１のいずれか一項に記載の装置。
［付記項３３］
前記熱伝達手段は、ヒートパイプを備えることを特徴とする付記項２４から付記項３２のいずれか一項に記載の装置。
［付記項３４］
前記熱伝達手段は、１つ以上の冷却フィンを備えることを特徴とする付記項２４から付記項３３のいずれか一項に記載の装置。
［付記項３５］
前記加熱領域の一方またはそのそれぞれが略平坦であり、かつ前記アームの一方における前記冷却領域の少なくとも１つが凸状であり、かつ他方の前記アームの接触面が、適合する凹形状を有することを特徴とする付記項２４または付記項２５に記載の装置。
［付記項３６］
前記凸状の冷却領域は、２ｍｍから１０ｍｍ、特に６ｍｍの半径を有することを特徴とする付記項３５に記載の装置。
［付記項３７］
前記加熱領域は湾曲していることを特徴とする付記項２４から付記項３４のいずれか一項に記載の装置。
［付記項３８］
前記冷却領域の一方または両方が、前記アームの少なくとも一方の長さの少なくとも一部に沿って延在しており、かつ前記加熱領域の両側に配置されていることを特徴とする付記項２４から付記項３７のいずれか一項に記載の装置。
［付記項３９］
前記冷却領域の一方またはそのそれぞれが伝導性を有することを特徴とする付記項１から付記項３８のいずれか一項に記載の装置。
［付記項４０］
前記冷却領域の一方またはそのそれぞれが、流体冷却システムによって提供されることを特徴とする付記項１から付記項３９のいずれか一項に記載の装置。
［付記項４１］
前記流体は、高圧で前記冷却領域に供給されることを特徴とする付記項４０に記載の装置。
［付記項４２］
前記流体の圧力および／または流量は、カーリングを向上させるために調整可能であることを特徴とする付記項４０または付記項４１に記載の装置。
［付記項４３］
前記流体冷却システムは、前記冷却領域の一方またはそのそれぞれへ空気流を供給するよう構成されたファンを備えることを特徴とする付記項４０から付記項４２のいずれか一項に記載の装置。
［付記項４４］
前記冷却領域は、前記流体を移動させるための１つ以上の導管を備えることを特徴とする付記項４０から付記項４３のいずれか一項に記載の装置。
［付記項４５］
前記接触面は、弾性サスペンションに支持されることを特徴とする付記項１から付記項４４のいずれか一項に記載の装置。
［付記項４６］
各アームは略細長形状であり、かつ前記加熱領域は、前記アームの少なくとも１つの長さの少なくとも一部に沿って延在することを特徴とする付記項１から付記項４５のいずれか一項に記載の装置。
［付記項４７］
前記接触面の形状は、所望のカーリング効果をもたらすよう構成されることを特徴とする付記項１から付記項４６のいずれか一項に記載の装置。
［付記項４８］
前記加熱領域は、少なくとも１６０℃に髪を加熱することを特徴とする付記項１から付記項４７のいずれか一項に記載の装置。
［付記項４９］
前記冷却領域の一方またはそのそれぞれは、髪を９０℃から１６０℃に冷却することを特徴とする付記項１から付記項４８のいずれか一項に記載の装置。
［付記項５０］
前記冷却領域の一方は、さらに、１６０℃未満の温度に髪を加熱するよう構成されていることを特徴とする付記項４９に記載の装置。
［付記項５１］
前記接触面の少なくとも一方における前記加熱領域と前記冷却領域またはそのそれぞれとの間において、さらに断熱材を備えることを特徴とする付記項１から付記項５０のいずれか一項に記載の装置。
［付記項５２］
前記冷却領域は、相変化材料を備えることを特徴とする付記項１から付記項５１のいずれか一項に記載の装置。
［付記項５３］
実質的に、添付の図面を参照して明細書に記載されかつ添付の図面に図示された装置。
【図面の簡単な説明】
【００５５】
【図１ａ】平坦な加熱および冷却部分を備えるデバイスの概略断面図である。
【図１ｂ】髪をカーリングするために使用される図１ａのデバイスの概略断面図である。
【図２】使用者の頭部に隣接される装置の一例の概略図である。
【図３ａ】平坦な加熱部分と湾曲した冷却部分とを備えるデバイスの概略断面図である。
【図３ｂ】平坦な加熱部分と湾曲した冷却部分とを備えるデバイスの概略断面図である。
【図４ａ】加熱部分と冷却部分のための構成の一例を示す図である。
【図４ｂ】加熱部分と冷却部分のための構成の一例を示す図である。
【図４ｃ】加熱部分と冷却部分のための構成の一例を示す図である。
【図４ｄ】加熱部分と冷却部分のための構成の一例を示す図である。
【図５ａ】図４ｂの加熱部分と冷却部分の分解断面図である。
【図５ｂ】代替的な加熱部分と冷却部分の分解断面図である。
【図６】図１ａから図５ｂの特徴のいずれかを包含し得るデバイス全体の斜視図である。
【図７ａ】図１ａから図３ｃのデバイスのいずれかに基づくアームの平面図である。
【図７ｂ】図４ａから図４ｄのデバイスのいずれかに基づくアームの平面図である。
【図８】平坦な加熱領域と湾曲した冷却領域とを備えるさらなるデバイスの概略断面図である。
【図９】図８のデバイスの変形例を示す図である。
【図１０】図８のデバイスのアームの一方を通る冷却手段の変形例を示す図である。
【図１１】図８のアームの一方を通る冷却手段のさらなる変形例を示す図である。
【図１２】図８から図１１の特徴のいずれかを包含し得るデバイス全体の斜視図である。
【図１３】図８から図１２に図示された冷却特徴部を用いる図４ｄのデバイスの変形例を示す図である。
【図１４】使用者の頭部に隣接して角度付けられた装置の一例の概略図である。
【図１５】髪をストレートにしかつカールするためのデバイスのさらなる変形例を示す図である。
【図１６】髪をストレートにするために使用されるデバイスのさらなる変形例を示す図である。
【発明を実施するための形態】
【００５６】
当業者には公知のように、スタイリング中に、髪は、使用者の頭部とスタイリング装置との間で張力を受ける。スタイリング装置が髪から離れると同時に髪にカールが形成される。多くの図面において、スタイリングされた髪が、スタイリング装置を通過した部分はカールされた状態で、図示されている−これは単に、髪がスタイリング装置を通過した場合の効果を例示するためのものである。髪に張力が掛けられなくなった際に、カールが形成される。
【００５７】
図６には、使用者が装置を把持するためのハンドルを形成する細長本体３０を備えるヘアスタイリング装置が図示される。一対のアーム３２が本体に取り付けられている。これらアームは、アームが本体に取り付けられる一端において互いにヒンジ連結されている。アームは、アームの対向端部が互いに隣接する閉ポジションと、アームの対向端部が離間される開ポジションと、の間で動作可能である。図１ａから図５ｂに関連して詳細に説明されるように各アームには加熱領域と冷却領域とが形成される。
【００５８】
本体は、加熱領域および冷却領域の作動のために必要な構成要素を収容する。そのため、本体は、装置のオンオフを切り替えるための、加熱システムおよび冷却システムを使用者が作動させる制御機構とともに収容する。
【００５９】
多くの構成において、冷却システムは、例えば空気などの流体を使用してもよい。これは、冷却領域に流体を供給するための、本体およびアームを通る導管とともに本体に収容されるモータならびにファンによって供給されてもよい。ファンのタイプには、アキシャルファン、ラジアルファン、または遠心ファンが含まれる。あるいは流体は、冷却領域に流体を供給するための本体およびアームを通る導管とともに本体に収容されたポンプとモータを備え、モータによって駆動されるガスマイクロポンプによって供給されてもよい。ポンプのタイプには、ダイアグラムポンプ、ギアポンプ、スクロールポンプ、またはスライド式中空スクロールポンプが含まれる。流体は、当該流体が髪全体を確実に冷却するように高圧下で供給されてもよい。このタイプの冷却システムは、能動的な冷却を用いる図示された構成のいずれかに使用されてもよい。
【００６０】
高圧空気の供給の一例として、エアブレードが挙げられる。これは、より高速であり、よりコンパクトであり、かつより正確な供給をもたらす。空気を提供するマイクロエアブレードは、加熱プレートに隣接してアームに組み込まれる。マイクロスクロールポンプは、ハンドルに収容されてもよい。冷却空気は、小さなフレキシブルチューブに従ってマイクロエアブレードへ向けて経路付けられてもよい。
【００６１】
代替的かつより一般的な技術としてブラシレスＤＣモータとファンとを備える「ＢＬＤＣファン」が挙げられる。これはまた、開発のリスクがより低い良好な結果をもたらす。
【００６２】
大気空気を用いた髪の冷却率は、空気を供給するための空気流量および圧力に左右される。例えば圧力が高くなればなるほどより小さな空間（冷却領域）での冷却効果が大きくなる。より多くの空気を供給するためには、背圧を増大させることが最も効果的な方法である。加えて、空気圧を大きくすればするほど、空気はより効果的に、装置に包囲された髪を通過するようになる。それにより、より多くの冷却が髪に提供される（これは髪の「縮れ」や「飛び出し（ハネ）」を低減するのに重要である）。
【００６３】
冷却領域への空気流を調整することにより、使用者はカールのサイズ（直径）を変更できる。概して、空気を多くすればするほど髪はカールをより良好に保持し、髪はよりカールした状態となる。空気流は、髪を通るその使用率を制御するよう使用者に調整されてもよい。そうした調整は、制御されるバルブによってなされてもよい。
【００６４】
両手利きの装置（例えば図４ａから図４ｄの、２つの冷却湾曲面を有する装置）に関して、空気流の調整は、所望の面に空気流を向け直すよう要求されてもよい。その理由として、空気の量が、手で保持されるデバイスの幾何学的形状の範囲内に制限されることが挙げられる。そうした調整はまた、より費用効果がよく、より静かでかつエネルギー効率のよいシステムを提供し得る。
【００６５】
冷却システムは、流体と直接伝導とを組み合わせたものを使用してもよい。そうしたシステムにおいて、アームにおける冷却領域は、所定の大きさを有する１つ以上の面であってもよい。一実施形態において、流体（例えば空気）は、使用の合間に（つまりストローク間に）伝導面を冷却するよう使用されてもよい。そうしたシステムは、冷却領域において相変化材料をさらに備えてもよい。相変化材料内では残留熱（潜熱）が上昇し、当該残留熱は、例えば空気を用いて使用の合間にまたはストローク間で放散できる。適切な相変化材料は、ワックスおよび／または水を含む。
【００６６】
空気流の調整は、製品の伝導面（作用面）における上昇した熱を除去するよう空気流を制御するために用いられてもよい。これは、スタイリング（カール付け）の効果を高めることができ、あるいは人間工学的に使用者の助けとなるように表面温度を低減させ得る。このシステムは、２つの冷却領域の伝導プレート間の温度上昇またはより大きな温度差の検知によって実行可能となる。空気流の調整は、より温度の高い側へ向けて、その温度を低減させるように、空気を方向付けてもよい。上述のように、空気流の調整法にはバルブが含まれてもよい。
【００６７】
代替的に、冷却システムは、直接伝導によって提供されてもよい。そうしたシステムにおいて、アームにおける冷却領域は、所定の大きさを有する面を１つ以上有していてもよい。こうした面は、使用の合間に／ストローク間に、上昇した熱を環境中に放散するのに十分な表面積を有する。そうした構成については、以下で図８を参照して説明する。
【００６８】
上記構成のいずれにおいても、加熱システムは、本体に取り付けられたヒータを備えていてもよい。ヒータは、一対の加熱可能なプレート３４と熱接触状態で配置される。加熱プレートは、実質的に平坦であり、かつ対向する形式でアームの内面に配置されている。
【００６９】
各構成において、冷却システムは、髪が加熱領域から離れる際にカーリング面で髪を迅速に冷却するよう構成される。カーリング面はカーリングを強くするよう急な丸み(tight radius)を有してもよい。さらに加熱領域と冷却領域との間の断熱が重要である。効果的な断熱のために、断熱材料および空気境界域を用いることができる。
【００７０】
図１ａおよび図１ｂには、ヘアスタイリング装置の構成の一例のアームの断面図を示す。これら図面において、アームは閉ポジションにある。各アームの外側表面が破線で図示されており、かつアームは、開ポジションへ向けて矢印Ｄの方向に移動可能である。加熱領域１６は、一対の加熱プレートを備えており、加熱プレートは各アームに１つずつ配置されており、かつ冷却領域１４は加熱領域に隣接している。
【００７１】
図１ａには、ヘアストレート装置として使用されるデバイスを示す。ストレートにする工程中、髪１０は高温の加熱プレート間でクランプされる。装置は、髪に対して矢印Ｂの方向に移動させられる。相対移動中に、髪をストレートな形態に成型するよう、髪はプレートを介して張力が掛けられたまま保持される。髪が加熱領域を通過すると、髪はスタイリングのために準備をされる。続いて髪は、スタイルを定着させるために冷却領域を通過させられる（この場合はストレートな形態が定着される）。それゆえ、髪は、ヒータから離れるとすぐにその温度を下げられる。
【００７２】
図１ｂには、髪１０が方向Ｃに高温の加熱プレートを通過するよう引っ張られる前に、頭部へ向けてヘアストレート装置を１８０°回転させることによって髪をカールするよう使用される図１ａのデバイスを示す。図１ａと同様に、髪は加熱領域１６で加熱される。デバイスの湾曲した外面を用いてカールが形成される。当該面上では、髪は、ヒータから離れた直後にその温度が低減される。冷却は、髪がカールした表面の形状を保持することを確実なものとするために必要である。こうした冷却は、カーリング面を冷却するための冷却領域１４を有することによって向上される。
【００７３】
図２には、図３ａのヘアスタイリング装置がカールを形成するためにどのように使用されるかを示す。使用者は、装置のアーム間に一房の髪を配置し、そして矢印Ａの方向に装置を移動させる。髪１０が装置に対して移動されるにつれて、髪は、まず加熱領域１６の２つのプレートを通過させられる。プレートは、髪を加熱するように髪と接触する。髪は、加熱領域を離れた直後に（例えば「空気」で）冷却される。この冷却領域１４で、カールが形成される。冷却は、形状の維持を促進させる。冷却が両側から方向付けられる場合には、その形状はより効果的に保持される。カール１８は、張力が掛けられている間に髪に記憶されるよう保持される。
【００７４】
こうした装置は使用が簡単である。一対のアームが開かれて、アームの間に一房の髪が配置され、続いてアームが閉じられる。その後、装置は、ヘアストレート装置が髪をストレートにする様式と同様の様式で、カールを形成するように髪にわたって引っ張られる。この動きは直線的である。装置の周囲に髪を巻き付けたり、頭部に対して装置をひねったりするようなことはない。
【００７５】
図３ａから図４ｄには、髪を容易にカールさせる装置を提供するための加熱領域および冷却領域のさまざまな構成が図示される。さらなる例が図８から図１３に図示される。いずれの場合でも、加熱および冷却領域は、アームの一方または両方に収容されており、かつそのハウジング２０の外面は（図示される場合には）破線で示される。アームは、髪１０は、２つのアームの間に挟まれる閉ポジションで図示される。図１ａおよび図１ｂに図示される構成において、２つのアームの接触面は平坦である。しかしながら、図３ａから図４ｃの各々においては、２つのアームの接触面は、加熱領域では平坦であるが冷却領域では平坦ではない（つまり湾曲している）。図４ｄにおいては、加熱領域は平坦ではない。カールを形成するための冷却を最も効果的に使用するには、髪がその最も高温となるポイントにある場合、つまり髪がヒータを離れかつ髪がその丸みが最も急となる箇所が挙げられる。破線で図示される円は、装置によってもたらされるカールの断面を図示する。
【００７６】
各アームの接触面は、髪が加熱領域および冷却領域の両方にわたってこれら接触面の両方と接触することを確実なものとするように相補的な形状を有している。言い換えると、接触面は、接触面が湾曲しているか平坦であるかに関わらず互いに対して略平行である。髪への効果的な熱伝達／冷却を提供するために、２つの接触面がともに均一に接触することを確実なものとすることが重要である。接触面は、説明される構成のいずれにおいても、例えばエラストマー支持体などの弾性的なサスペンション（懸架装置）で支持されていてもよく、各接触面がそのアームに対してある程度移動することが可能となり、それによりさらに微細な誤差が吸収される。これは、髪に対する良好な面接触を向上させる。
【００７７】
図３ａにおいて、１つのアームが、加熱領域１６のための略平坦部分と冷却領域１４のための凸状部分とを有する接触面を有する。他方のアームもまた、加熱領域のための略平坦部分と冷却領域のための凹状部分とを有する。両方のアームが互いにぴったりと適合するように、凹状部分の曲率は凸状部分の曲率と一致している。平坦部分は、アームの開閉方向Ｄに対して略垂直である。
【００７８】
冷却方法（および髪を冷却する速度）に応じてさまざまな形状を使用することができる。図３ｂには、システムの冷却段階において髪の表面積を増大させるために、加熱領域が冷却領域に入る角度が変更できる代替案を図示する。図３ａにおけるように、各アームは、加熱領域のための接触面からなる略平坦部分を有する。なお図３ｂでは、接触面の平坦部分は、アームの開閉方向に対して約５°の角度に設定されている。これは、髪を冷却領域で遠回りさせるための、より長い湾曲経路を形成する。図示されるように、接触面はそれぞれ、相補的な凸面および凹面の両方を有しており、それゆえ略「Ｓ」形状の接合部を形成する。この領域において冷却能力が増大される場合には、カールを形成する湾曲部の半径および表面積は低減されてもよい。それにより、製品全体のサイズも低減されてもよい。
【００７９】
図３ａおよび図３ｂのいずれにおいても、装置を髪にわたって相対する方向に直線的に移動させることによって、装置が髪をストレートにしかつカールさせるように使用されてもよい。装置が方向Ｂに移動される場合、髪１０はまず冷却領域１４を通過し、続いて加熱領域１６を通過する。そのため冷却領域１４は髪に影響せず、ゆえにその全体的な効果は髪１０をストレートにすることである。あるいは装置が反対の方向Ｃに移動される場合、髪１０はまず加熱領域１６を通過し、続いて冷却領域１４を通過する。この場合に、髪は冷却領域でカールされる。さらにいずれの構成においても、アームは、互いに対してヒンジ動作で開閉する。
【００８０】
図４ａから図４ｄには、使用方向に関係なく髪が確実にカールされるヘアスタイリング装置に組み込まれる加熱領域および冷却領域の概略的な構成を図示する。図３ａのように、装置は、髪にわたって直線的に移動させられ、かつアームはヒンジ動作で開閉される。アームハウジングの外面は、図４ａから図４ｄには図示されない；アームハウジングは、後述する接触面を含むのに適当な形状とすることができる。
【００８１】
図４ａにおいて、略平坦な加熱領域１６が、一対の略二重に湾曲した（「Ｓ」形状の）冷却領域１４の間に挟まれている。いずれの冷却領域１４の曲率も同じ方向にある。一方の冷却領域１４は、一方のアームの外面へ向けて湾曲しており、かつ他方の冷却領域１４は、他方のアームの外面へ向けて湾曲している。したがって、アーム各々の断面はそのサイズがほぼ同じである。このように湾曲面を構成することによって、これは、使用者による直感的な使用の手助けとなり、かつ装置の移動方向に関わらず同じカール方向の発生を確実なものとする。
【００８２】
図４ｂは、一方の冷却領域１４の曲率が他方の冷却領域１４の曲率に対して逆である点を除いて、図４ａとほぼ同じである。いずれの冷却領域１４も、装置の移動方向に関わらず同じカール方向の発生を確実なものとするために、同じアームの外面へ向けて湾曲している。したがって、一方のアーム（上アームまたは下アームの一方）は、他方のアームの断面より小さな断面を有する。
【００８３】
図４ｃは、図３ｂにおけるように平坦部分が８５°の角度で傾斜されている点を除いて、図４ａと同様である。図３ｂに関して説明したように、そうした角度変化は、より効果的に所望の結果をもたらすよう、冷却領域における表面積および曲率半径を変化させる。図示されるように、髪がヒータを離れるすぐ後のところに、丸みがより急でありかつより小さな曲率半径が設けられる。このポイントにおいて、髪はその丸みが最も急となり、かつ冷却領域の他のポイントと比較して、このポイントにおける髪と冷却流体との温度差が最も大きくなるため、このポイントに冷却集中することは最も効率的となる。その結果として、髪に保持されるカールの量が最大となる。
【００８４】
図４ｄに図示されるような平坦ではない加熱領域を使用することによって、曲率半径および表面積の比における同様の変化を実現できる。図４ｄにおいて、一方のアームは、加熱領域において凸状接触面を有しており、かつ他方のアームは、加熱領域において凹状接触面を有する。そうした平坦でない加熱領域は、いずれの構成に組み込まれてもよい。良好な熱応答性をもたらす能力のある現在の既製のヒータ技術の導入に関して、平坦なヒータを使用することは最もコスト効果が高いものとなろう。しかしながら、湾曲した表面は、冷却領域内での髪の表面積および丸みを最大にすることに効果的であると言える。湾曲した加熱領域は、例えば湾曲したアルミニウムプレートから形成されてもよい。特に有用でありかつ耐久性のある加熱領域の実施形態の１つは、酸化アルミニウムのプラズマ電解酸化（ＰＥＯ）コーティングを有するアルミニウムプレートを備えていてもよい。このＰＥＯは電気絶縁層を提供し、当該層の上に、アルミニウムプレートを加熱するための加熱電極が配置されてもよい。ＰＥＯ層はまた、それを所望の湾曲状態となるように形状付けることを（必要であれば再形成）可能にするアルミニウムの耐久性を高める。
【００８５】
図３ａから図４ｄにおいて、冷却は空気によってなされてもよい。図３ａおよび図４ｄに図示されるように、空気流の方向は、一方のアームにおいては内側へ向かい、かつ他方のアームにおいては放出のために髪から外側へ向かうことができる。あるいは、図３ｂに図示されるように、両方のアームから髪へ向かいかつ髪を通り抜けるよう流入部が設けられてもよい。この場合において、１つの流入部が放出部として機能する負圧を提供してもよい。
【００８６】
図５ａおよび図５ｂには、冷却領域中で髪に空気を吹き付ける構成のいずれか１つに組み込まれ得る空気流入部の構成を示す。
【００８７】
図５ａでは、高温になった髪はヒータから離れると、所定の面の周囲で湾曲させられる。加圧された環境空気が、流入部２６、２８を介してプレナムチャンバ２２、２４から供給される。プレナムチャンバは、空気放出部３０、３２の長さに沿ってより速い（より冷たい）空気を保証するために必要とされる。流入部は、空気が、髪のキューティクルに対して下方向を向く角度で方向付けられるように、配置される。これは、つやをもたらすのに役立ち得る。空気は、その区間にわたる温度差を最小にするためかつ髪の縮れやハネを低減し得る冷却をさらにもたらすために、両側から加圧状態で供給される。
【００８８】
空気流入部２６、２８の断面積は、空気の流量および圧力に応じて最適化される；圧力が低ければ低いほど、その断面積は大きくなる。空気の流量および圧力は、空気流を発生させる方法に依存する。例えばファンは、より低い空気圧とより大きな空気流量とをもたらすが、大きな断面を必要とし得る。一方で、相対的に言うと、ポンプはより小さな断面しか必要としない。
【００８９】
空気は放出部３０、３２を通って放出される。放出部に対する流入部の断面積の比は、放出される高温の空気流の方向を制御するよう調整できる。放出部３２の断面積が圧力降下をもたらすのに十分であるならば、空気は、（ベンチュリ効果）によって空気放出部３０へ引き込まれる。空気放出部の長さは、髪の一部にわたってさらなる冷却を提供するために、ヒータの長さに等しい。
【００９０】
図５ｂは、単一の放出部３０しか設けられていない点を除いて、図５ａのものとほぼ同じである。この放出部は、アーム間にある髪によってもたらされるアームの接触面同士の間の小さな隙間によって提供される。
【００９１】
図７ａおよび図７ｂには、加熱領域１６と冷却領域１４とがアームの長さに沿って長手方向に延在することを示す。弾性サスペンション４０およびヒンジ４２がいずれも概略的に図示されている。図７ａでは単一の冷却領域しか設けられておらず、それゆえこの装置は、カーリングの実現のためには矢印で示される方向に使用する必要がある。図７ｂでは２つの冷却領域が設けられており、そのためこの装置は「両手利きの（右手でも左手でも使用できる）」ものであり、カーリングの実現のために、いずれの方向にも使用できる。
【００９２】
図１ｂに関連して上述したように、以前から、使用者は、髪１０を高温の加熱プレートを通過するよう矢印Ｃの方向に引っ張る前に頭部へ向けてヘアストレート装置を１８０°回転させることによって、髪をカールさせている。そうした従来のヘアストレート装置は、一般的にライナイトなどのプラスチックハウジングから形成される。そのヘアストレート装置の湾曲した外面は、カールを形成するために使用される。そうしたプラスチック材料は一般的に熱伝導率が乏しく、そのため加熱された髪はゆっくりと冷却される。一般的に言えば、冷却をより良好なものとすると、髪がカーリング面の形状を保持する期間はより長くなる。
【００９３】
図１２には、使用者が装置を把持するためのハンドルを形成する細長本体５０を備えるヘアスタイリング装置のさらなる構成を図示する。一対のアーム５２が本体に取り付けられている。アームは、これらアームが本体に取り付けられる一端においてともにヒンジ連結されている。アームは、これらアームの対向端部が互いに隣接する閉ポジションと、これらアームの対向端部が離間される開ポジションとの間で移動可能である。この装置において、加熱領域および冷却領域は、一方のアームにおける加熱領域の両側の冷却領域が熱伝導手段／熱伝導体によって互いに熱連結される状態で、それぞれのアームに形成される（上アームには参照符号４０ａが付与されているが下アームにはない）。
【００９４】
図１２の構成において、冷却システムはファンを使用してもよいが、これは任意のものでありかつ単なる例示にすぎない。使用され得る任意のタイプのファンはすでに図６に関連して本明細書中で説明されている。図８から図１１および関連する説明では、図１２のヘアスタイリング装置に適用され得る他の冷却システムの代替例を示す。
【００９５】
図８〜図１１には、加熱領域および冷却領域のさまざまな構成を図示する。上述したように、カールを形成するための冷却を、髪がその最も高温となるポイント、つまり例えば髪がヒータを離れた時に用いることが最も効果的である。図８を参照すると、当該図面には、髪を容易にカールさせる装置を提供するよう構成された加熱および冷却領域を備えたヘアスタイリング装置の一構成の断面が図示される。図８および図９において、スタイリング機器は、使用者の頭部１２で使用された状態で図示される。加熱および冷却領域は、アームの一方またはその両方およびハウジング３９の外面の内側に収容されている。上述した装置に例示されるように、アームはここでも髪１０が２つのアームの間に挟まれる閉ポジションで図示される。図８に図示された装置において、２つのアームの接触面は、加熱領域１６では平坦であり、一方のアームの冷却部材４２ａ、４２ｂと他方のアームにおける冷却部材４３ａ、４３ｂとから形成される冷却領域１４では平坦ではない（つまり湾曲している）。これら冷却部材は、例えば機械加工または鋳造金属されたプリフォーム金属ロッド（例えば凸状部材４２ａ、４２ｂ）から形成されてもよい。
【００９６】
図８〜図１１の構成において、加熱および冷却領域はまた、図８における断熱材４６によって互いから断熱されている。断熱材は、加熱領域と冷却領域との間の熱伝達を最小にする。適切な断熱材の一例としてエアロゲルが挙げられる。
【００９７】
図３ａから図４ｄにおける構成と同様に、図８の構成における各アームの接触面も、髪が加熱領域と冷却領域の両方を通じて両方の接触面と接触することを確実なものとするように、相補的な形状を有する。これは、接触面が湾曲しているか平坦であるかに関わらず、これら接触面が略平行であることを意味する。これによって、髪への効果的な熱伝達／冷却が提供される。図９から図１１に図示される構成もまた、各アームの接触面において同様の相補的な形状を有する。
【００９８】
図８において、アームの一方は、加熱領域１６のための略平坦部分と、加熱領域の両側に配置される冷却部材４２ａおよび４２ｂから形成される冷却領域のための凸状部分と、を有する接触面を有する。他方のアームも同様に加熱領域のための略平坦部分を有するが、冷却部材４３ａおよび４３ｂから形成される冷却領域１４のための凹状部分を有する。凹状部分の曲率は、両方のアームがぴったりと整合するように、凸状部分の曲率と一致する。平坦部分は、アームの開閉方向におおむね直交する。アームそれぞれにおいて、冷却部材４２ａ、４２ｂ、４３ａおよび４３ｂは、加熱プレートの側部に沿って各アームに沿って延在している。
【００９９】
本出願人は、カールされる髪に対するストレート部分の長さの比として「カール率(curl factor)」を規定した。一般的に言うと、湾曲冷却部材の半径「ｒ（図８参照）」が小さければ小さいほど、より丸みの急なカールがもたらされること、すなわち湾曲した冷却部材の半径が低下するにつれてカール率が向上されることが明らかとなっている。半径を１６ｍｍから１０ｍｍに変更することにより、カール率は約２０％まで向上される。これは、丸みがより急なカールがもたらされることを意味する。冷却部材におけるカーブの半径を１６ｍｍから６ｍｍに変更することにより、カール率は約６０％まで向上される−さらにカールの丸みは急になる（カールがきつくなる）。冷却領域における冷却部材を約２ｍｍから１０ｍｍの半径に設定することにより、満足のいくカールがもたらされることが観察されている。湾曲した冷却部材の好ましい半径「ｒ」の一例は６ｍｍである。上述の半径は、湾曲した冷却領域を備える上記構成にも同様に適用される。
【０１００】
上述のように、ライナイトなどのプラスチック材料は一般的に熱導電性に乏しく、そのため冷却部材は、代替的に、髪の冷却性を向上させるためにより熱伝導率の高い材料から形成されてもよい。冷却部材は、銅またはアルミニウムなどの金属から形成されてもよく、かつエアロゲルなどの断熱材によって加熱プレートから離間される湾曲バーとして構成されてもよい。これら冷却部材は、プラスチックと比較して、その湾曲表面上での髪の冷却およびカーリングを迅速にする。実験データにより、銅からなる冷却部材は、プラスチック冷却部材に対して、８５％までカール率を向上させることが明らかとなった。なお、当然のことながら、アルミニウムなどのより安価な材料が好まれてもよい。
【０１０１】
図８において、冷却部材は、使用方向が重要とならないように、加熱領域の両側に配置される。これは、スタイリング装置を両方向に使用できるようにし、頭部１２の両側で容易にスタイリングできるようにし、かつ左手でも右手でも使用できるようにする。なお、いくつかの実施形態において、この構成は必須のものではなく、装置の重量およびコストの両方を低減するために、冷却部材は一側のみに配置されてもよい。冷却部材が一側だけ（つまり図示されるように加熱領域の右または左だけ）に設けられる場合、ヘアスタイリング装置は、髪をストレートにするために一方向に使用され、かつ髪をカールするために他の方向に使用される。
【０１０２】
使用中、冷却部材は、髪から伝達される熱を放散するための機構がない場合には、暖機運転してもよい。冷却部材が暖機運転をすると、カールの寿命（カールが保たれる期間）は減少しかつカールの直径は大きくなる。冷却部材の温度が３０℃から７０℃に上昇すると、全体的なカーリングパフォーマンスは著しく落ちることがある。図８には、これに対処するための装置の一構成が図示される。実験により、冷却部材の温度を約５０℃に制限することが、スタイリングに効果的でありかつカールを長持ちさせることが判明している。なお、当然のことながら、初めにスイッチを入れる際には、これら冷却部材は非常に低い温度となっていてもよい。いくつかの構成において、冷却部材はまた、例えば装置が完全に加熱された時および使用中に一貫した冷却を行うために、約５０℃に加熱されてもよい。これは、一貫性のあるカールスタイルをもたらすことを可能にする。
【０１０３】
図８において、熱伝導体４０ａおよび４０ｂが、冷却部材間の熱伝達のために各アームの片側における個々の冷却部材間にヒートブリッジを提供する。このヒートブリッジは、アームの一方または両方の内側で伝導部材として作用する金属プレートまたは一連のパイプ／バーの形態をとってもよい。ヒートブリッジ（ヒートシンク）は、良好な熱伝導体から、好ましくはアルミニウムなどの金属から形成されてもよい。いくつかの構成において、一方のアームにおけるヒートブリッジおよび冷却部材は、単一のユニットとして製造されてもよい。ヒートブリッジの変形例として、熱伝達のためのヒートパイプまたはポンプ作動される流体を使用してもよい。ヒートパイプは、効果的な作用のために、その長さが少なくとも５ｃｍのものであってもよい。
【０１０４】
図１０には、図８の構成の変形例を図示する。上アームのみが図示されているが、同じ技術が同様に下アームにも実施されてもよい。図１０において、冷却フィン４７が、表面積を増大させることによってヒートシンク／ラジエータと同様の構成を提供するように空間内に延在している。図１２を参照すると、ヒートブリッジ／ヒートシンク４０ａが破線で図示される（外側プラスチックケーシングの内側に配置された状態で図示される）。図１２においてファン５４とヒートブリッジ／ヒートシンクとを組み合わせることによって、ヒートシンクおよび冷却部材の冷却効果を向上させるように冷却フィンに空気を吹き込むことが可能となる。空気が空間およびヒートブリッジ／ヒートシンクのフィンを通り抜けるように移動させることは、ファンが、冷却部材にチューブまたは孔を用いた構成を通過するよりも小さな空気圧を発生できることを意味する。これは、ファンサイズを低減してもよいこと、および／または利用される速度の遅い回転がより静かなファンを導出することを意味する。効率性をさらに向上させるために、加熱プレートとヒートブリッジ／ヒートシンクとの間の空間の一部にさらなる断熱材が含まれてもよい。この構成において、一方のアームの両側における冷却部材同士の間に熱連結(thermal link)を提供することは必ずしも必要ではない−それぞれ冷却フィンを通り抜ける空気流によって独立的に冷却されてもよい。
【０１０５】
図８および図９において、使用者の頭部１２にある髪が、スタイリングされる。髪をスタイリングするために、使用者は、髪をスタイリング装置に配置し、続いて、高温の加熱プレートにより直線様式で髪１０を引っ張る前に、頭部へ向けて図８のヘアスタイリング装置を９０°まで回転させる（装置を９０°回転させることは、１８０°回転させることに比べて、使用者にとって直感的に分かりやすいものである）。装置を図８における矢印Ａの方向に髪に沿って移動させる（装置自体が使用者の頭部１２に対して方向Ｃまたは方向Ｄに移動されてもよい）ように髪を引っ張ることによって、髪はまず冷却部材４２ａおよび４３ｂにわたって引っ張られ（ここで予加熱される）、続いて加熱領域１６を通過する。髪１０が冷却部材４２ａおよび４３ａを横切るように引っ張られると、髪は迅速に冷却されてカール付けされる。髪から冷却部材４２ａおよび４３ａへの熱伝達は、個々の冷却部材４２ｂおよび４３ｂに対して各熱伝導体を介して伝達される。これは、熱伝達の結果として、冷却部材４２ｂおよび４３ｂの加熱を引き起こす。要素４２ｂおよび４３ｂは、続いて効果的に予加熱要素として機能し、冷却されかつカールされた髪から取り出された熱が、髪のうち、これから加熱されかつスタイリングされる部分に戻される。
【０１０６】
髪を矢印Ｂの方向に引っ張られるように、逆に作動させる場合、髪はまず冷却部材４２ａおよび４３ａを横切るように引っ張られ（ここで予加熱される）、続いて加熱領域１６を通過する。髪１０が冷却部材４２ｂおよび４３ｂを横切るよう引っ張られると、髪は迅速に冷却されてカールされる。髪から冷却部材４２ｂおよび４３ｂへの熱伝達は、個々の熱伝導体を介して個々の冷却部材４２ａおよび４３ａへ伝達される。
【０１０７】
図８において、スタイリングされた髪が（図示されるように）冷却部材４２ａおよび４３ａから形成される右側の冷却領域１４から出てくると、髪は冷却部材４３ａの縁部にわたって９０°（またはそれ以上）の角度でひねられた状態となる。こうした方向転換は、上述のカーリングとは反対の方向となってもよい（髪は「Ｓ」形状の軌道をとってもよい）。第２の方向転換中に続いて髪を冷却させることは、備えられるカールされたヘアスタイルを良質なものとし得る−カールされかつ冷却された髪は、全体的な質およびカールの見た目に影響を及ぼし得る加熱および冷却に続いて、ここでは第２の方向にひねられている。図９には、この問題に対処する一例を図示する。
【０１０８】
図９において、カールガイド４４ａ、４４ｂ、４５ａおよび４５ｂが、冷却部材の外側縁部に配置されている。これらガイドは、通常、熱伝導性の低い材料から形成されており、ライナイトなどのヘアスタイリング装置のハウジングと同じ材料から形成されてもよい。ガイドは、髪をさらに９０°の角度にひねるようガイドするよう構成される一方で、反対方向においては冷却部材に向けて案内するよう配置されている。これらガイドは、ヘアスタイリング装置のハウジングとは別の構成要素であってもあるいはその一体部品であってもよい。この方法において、髪は、髪が進入した方向と同じ方向にスタイリング装置を離れる。これはヘアスタイリング装置を、頭部に対して９０°の角度で装置を保持せずに、髪に沿って略直線様式で引っ張ることができることを意味する。例えば図９において、スタイリング装置が使用者の頭部１２の側方で髪をスタイリングするよう方向Ａに引っ張られる場合に、スタイリング装置を頭部１２に対して９０°の角度で保持する必要がないことが明らかだ。図１３は、カールガイドを使用する必要さえない湾曲した加熱領域を使用するさらなる変形例を示す。
【０１０９】
冷却部材に使用される材料に比べて熱伝導性の低い材料からガイドを形成することによって、カールされた髪がガイドを通過する際に、カールされた髪からの熱損失が低減される。これにより、髪が冷却領域を離れて反対方向に曲がる際の、スタイリングされた髪への影響が低減される。
【０１１０】
これらガイドは、さらなる利点を有する。スタイリング装置が使用後に表面上に配置された場合の、意図しない引っ掻きやへこみ、および熱伝達から冷却部材を保護することに役立つ。
【０１１１】
図１５に図示されるような別の変形例において、スタイリング装置は先と同様に冷却領域１４と加熱領域１６とを有するが、当該装置は、一側においては湾曲した冷却領域１５０と、他方においては平坦な冷却領域１５２と、を有してもよい。この方法において、スタイリング装置を一方の方向に使用する場合には髪は加熱され、冷却され、そしてカール付けされてもよく、この時、スタイリング装置を反対方向に使用する場合には、髪は加熱され、冷却され、そしてストレートにされてもよい。ヒートブリッジ１５４ａ、１５４ｂをこの構成にも利用してもよい。
【０１１２】
さらなる変形例を図１６に示す。図１６の構成は、髪をストレートにするために使用される。ここでは、冷却領域１６０、１６２の両方が略平坦である（当然のことながら、一側のみが冷却領域を有していてもよく、かつ当該装置が一方向のみに使用されるのならば、他側は冷却領域を有していなくてもよい）。加熱領域の両側に２つの領域を備える構成においては、ヒートブリッジ１６４ａ、１６４ｂは先と同様に冷却領域を熱連結しかつ向上された冷却を提供するよう使用されてもよい。本明細書に記載した他の構成のように、冷却フィン、能動的冷却機構（流体冷却など）、および／またはファンなどの特徴部が冷却の向上のために使用されてもよい。冷却領域は、また、髪の均一な冷却を実現するために、加熱領域の温度より低い温度まで加熱することを含んでもよい。
【０１１３】
図１３における構成において、加熱領域は、図４ｄの構成を参照して説明したように湾曲している。加熱領域の両側の冷却領域において（使用時に、その一方が上述のように予加熱のために使用されてもよい）、冷却部材４２ａ、４２ｂ、４３ａおよび４３ｂは先と同様に髪を９０°ひねる。加熱領域での湾曲によって、カールが形状付けられる冷却領域において反対方向に続いてひねることは、髪を、スタイリング装置に髪が受容される方向と同じ方向に離れるよう方向付ける。図９で使用されるようなカールガイド／ガイド部材は、もはや必要とされなくてもよい。それでもなおガイドは保護の目的で使用されてもよいが、これらガイドは、髪の軌道をさらに転向させるために必要とされるものではない。
【０１１４】
図１１には、図８のデバイスのアームの一方を通る冷却部材のさらなる構成を示す。この構成において、冷却部材は、冷却部材内に１つ以上の導管を含んでもよい。当該導管内に流体（気体または水などの液体）をポンプで送り込むことができる。流体は、効果的な冷却および迅速な熱伝達の実現を確実にするために高圧で供給されてもよい。そうした構成は、ポンプで送出される流体の冷却のための手段を提供するために図８および図１０のヒートシンク／ヒートブリッジなどの他の構成部材を含んでもよい。
【０１１５】
上述の構成に関して説明したように、図８から図１２における冷却部材から熱を奪うために相変化材料が使用されてもよい。そうした材料は、冷却領域におけるヒートブリッジ４０ａと置換されるかあるいはそれに連結されてもよい。残留熱（潜熱）は相変化材料内で高められ、かつ例えば空気を用いて使用の合間にまたはストロークの間に放散できる。適切な相変化材料には、ワックスおよび／または水が含まれる。
【０１１６】
カールを形成する方向を制御するために、使用時に、使用者は、移動方向に対する角度オフセット（図１４における角度Θ）でスタイリングされる髪に沿ってヘアスタイリング装置を移動させてもよい。図１４に図示されるように、装置は、加熱プレートのうちヒンジ端部から最も離れる端部が加熱プレートの他端をリードするように、角度付けられている。カールの方向は、ヒータの端部のうちヒンジ端部に最も近接する端部が上記端部をさらに遠くへ導くように角度オフセットを変更することによって逆になる。そうした技術は、ヘアスタイルが確実に頭部の両側でバランスをとれるようにするのに有用であり、かつ上述の構成すべてに適用可能である。
【０１１７】
上述のすべての構成において、２つの平行なプレート間の直接接触は、髪への熱伝達を効果的に実現するために重要である。髪の部分全体の均一な加熱を実現することは、カールの維持に重要である。２つの加熱プレートによって生じる熱伝達の効率性は、髪への熱エネルギーの流れを生じる。その表面の制御による応答温度の追加によって、装置内の髪の温度は、髪のその部分に沿ってプレートを移動することで維持される。この髪のカールスタイル（形状）は、髪が冷却されると形成され、それと同時に髪に形状が保持される。
【０１１８】
これに対して、１つのみの面（つまり片側）から髪を加熱することは、あまり効率的ではなく、かつ髪への熱伝達性に依存する。なお髪は良好な断熱材であるため、この方法では時間がかかる。不便な点の一例として、そうした装置は、髪に沿って単に移動させるだけでは差支えることが挙げられる。さらに、装置内にある髪の一部にわたって温度差が存在してしまい、これは、この部分における個々の毛髪が、さまざまな量のカールとなるか、またはさまざまに反応することを意味する。これは、髪のハネを引き起こし、さらには持続性の乏しいスタイルをもたらす可能性がある。なぜなら、個々の毛髪が均一に反応しない場合、丸みがより急なカールがかかった繊維組織は、結局、他のものの重量を支持することとなり、そのため、より早めにカールが落ちてしまうからである。
【０１１９】
上述の構成のすべては、また、所定の部分がメークアップされた（整えられた）髪全体をさらに冷却することを実現する。これは、個々の毛髪繊維に毛羽立った髪をもたらす不均一なカールが保持されることを防止するのに重要である。こうした冷却を使用しないのであれば、使用者は、装置の使用速度を制御しなければならない。
【０１２０】
各構成において、髪は、好ましくは、加熱領域において１６０℃以上の温度に加熱される。髪は、冷却領域において、その温度が加熱領域よりも低い温度まで下げられることが好ましい。９０℃未満まで髪を冷却することには、スタイルに関する利点はあまりない。そのため、髪は好ましくは９０℃から１６０℃の間の温度まで冷却される。これは、図８から図１５に図示される構成における冷却部材の温度を、最大で５０℃まで制限することによって達成されてもよい。なお簡単に言うと、冷却領域中の髪を冷却すればするほど、髪は、冷却領域を通して保持される形状をより効果的に維持するようになる。加熱および冷却は、好ましい温度で安定されることが望まれる。
【０１２１】
冷却領域において安定した温度を維持するために、加熱領域に続く冷却領域（つまり髪が機器を離れる冷却領域）はその温度が調整されてもよい。これは、特に装置が冷たい状態から始動される場合には、加熱領域で用いられる温度以下の温度に冷却領域を加熱することを含んでもよい。冷却領域の両方の温度が調整されてもよい。この方法において、冷却領域の一方または両方の温度は、一貫性のあるスタイリングやカーリングを可能にするために安定するよう維持されてもよい。続いて、実現される冷却システムは、加熱領域の温度より低い安定した温度を維持するために、冷却領域の冷却と冷却領域の加熱とを能動的に切り替えてもよい。図１０および図１１には、冷却領域に加熱要素を導入する構成の１つを図示する。図１０において、加熱要素１００、１０１は冷却部材に連結されてもよい（冷却部材が金属である場合には、当業者には加熱要素を電気的に絶縁する必要があることは明らかであろう）。図１１において、同様の加熱要素が使用されてもよく、あるいは、加熱された流体が導管を通して流通させられてもよい。当然のことながら、そうした冷却領域の加熱は、全体的に任意のものであり、多くの構成において、そうした加熱装置を提供しないことが選択されてもよい。
【０１２２】
一定の安定したヒータ・インプット温度と、髪を冷却する連続的な空気流とを維持することによって、使用者は、髪にわたって製品を引く速さを変更することによって、よりきついカールまたはよりゆるいカールを形成することができる。一般的に、より速い移動は髪をよりまっすぐにし、装置をより遅い移動は髪をよりカールさせる。移動の速度は、ヒータ・インプット温度によって制限される。これを達成するために髪をその部分にわたって幅広く冷却することも重要である。カーリングに適切な速さは１０から３０ｍｍ／ｓであってもよい。
【０１２３】
形成されたカールの特性は、髪の投入量および髪の特性にも左右される。ストレートヘアの一部を投入することにより、髪のその部分の量および形成されるカールのきつさに応じて、カールのついた髪の房が１つ以上形成され得る。これは、カールした髪が呈する（つまりカールした髪の房を形成することに関する）自然な関係に基づく。自然にカールした髪は、まっすぐな髪をカールできる方法と同じ方法で、所望のサイズのカールとなるようにカールできる。
【０１２４】
上述のように、髪を冷却する（湾曲形状を保持する）のに最も効果的な箇所は、髪がヒータから離れかつその曲率が最大となる最も温度の高い地点である。さらに上述のように、最も効果的な冷却は、髪へ空気を方向付ける装置において、空気の圧力と流量と開口のサイズとのバランスを最適にすることによって実現される。他の効果は、装置のデザインを変更することによって実現できる。例えば「つやがあり」かつ柔らかい感触の髪は、空気の方向を下方向に向けることによって、つまりキューティクルが閉じることを促進させることによって、得ることができる。その反対方向への空気流は、髪のつやに好ましくない効果を及ぼし得る。図８から図１４におけるような他の構成において、髪を一方向に冷却しかつカールさせることだけを確実なものとすることにより（つまり異なる方向にさらなる冷却およびカール付けを実施しない）、カールが向上される。
【０１２５】
空気流中に（例えば高電圧ニードルによって公知の様式で発生される）マイナスイオンを追加することは、使用時の動作に起因して髪に発生する正電荷の減少を促すことができる。小規模ではあるが、マイナスイオンが個々の毛髪繊維のキューティクルを閉じることを促進して、さらなるつやを与えると考えられる。
【０１２６】
当業者であれば多くの他の効果的な代替物が考えられるだろう。本発明は上述の実施形態に限定されるものではなく、特許請求の範囲の趣旨およびその記載の範囲内であれば、当業者に明らかな変更が含まれることを理解されたい。
【０１２７】
本明細書の記載および特許請求の範囲の記載にわたって、「具備する」および「含む」との用語、およびその変形、例えば「備えている」、「備える」との用語は、「包含するがそれに限定されない」ことを意味し、かつ他の一部、付加物、構成要素や完全物、または手段を排除することを意図していない（そして排除しない）。
【０１２８】
本明細書の記載および特許請求の範囲の記載にわたって単数は、特に断らない限り複数を含む。特に、その数が限定されない場合、本明細書は、特に断らない限り単数だけでなく複数も想定していると理解すべきである。
【０１２９】
本発明の特定の態様、実施形態あるいは実施例と関連付けて説明した特徴部、完全物あるいはグループは、それと矛盾しない限り、本明細書で説明した他の態様、実施形態あるいは実施例に対して適用可能であると理解すべきである。
【符号の説明】
【０１３０】
１０  髪
１２  使用者の頭部
１４  冷却領域
１６  加熱領域
１８  カール
２０  ハウジング
２２、２４  プレナムチャンバ
２６、２８  流入部
３０  空気放出部または細長本体
３２  空気放出部またはアーム
３４  一対の加熱プレート
３９  ハウジング
４０  弾性サスペンション
４０  熱導体
４２、４３  冷却部材
４４  カールガイド
４６  断熱材
４７  冷却フィン
５０  細長本体
５２  一対のアーム
５４  ファン
【図１ａ】
2018047321.tif 000003
【図１ｂ】
2018047321.tif 000004
【図２】
2018047321.tif 000005
【図３ａ】
2018047321.tif 000006
【図３ｂ】
2018047321.tif 000007
【図４ａ】
2018047321.tif 000008
【図４ｂ】
2018047321.tif 000009
【図４ｃ】
2018047321.tif 000010
【図４ｄ】
2018047321.tif 000011
【図５ａ】
2018047321.tif 000012
【図５ｂ】
2018047321.tif 000013
【図６】
2018047321.tif 000014
【図７ａ】
2018047321.tif 000015
【図７ｂ】
2018047321.tif 000016
【図８】
2018047321.tif 000017
【図９】
2018047321.tif 000018
【図１０】
2018047321.tif 000019
【図１１】
2018047321.tif 000020
【図１２】
2018047321.tif 000021
【図１３】
2018047321.tif 000022
【図１４】
2018047321.tif 000023
【図１５】
2018047321.tif 000024
【図１６】
2018047321.tif 000025
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
ヘアスタイリング装置であって、
第１のアームおよび第２のアームであって、前記第１のアームおよび前記第２のアームは、前記第１のアームおよび前記第２のアームの各々が、その長さに沿って長手方向軸線を有しており、かつ前記第１のアームの第１の髪接触面が前記第２のアームの第２の髪接触面に近接する閉ポジションと、前記第１および第２の髪接触面が離間される開ポジションと、の間で移動可能なようにその一端において互いに連結されるように、長さ方向において細長形状のものである、第１のアームおよび第２のアームを備えており；
前記第１および第２の髪接触面が、使用時に前記アームが閉ポジションにある場合に髪の一部が前記髪接触面間にクランプされるように、相補的な形状を有しており；
前記第１のアームは、前記第１のアームの外面と、第１の加熱プレートと前記第１の加熱プレートを加熱するための第１のヒータとを収容する前記第１のアームの内部空間とを規定する第１のアームハウジングを備えており、前記第１の加熱プレートの外面は、前記第１の髪接触面の第１の部分を形成し、
前記第２のアームは、第２の加熱プレートと前記第２の加熱プレートを加熱するための第２のヒータとを収容する第２のアームハウジングを備えており、前記第２の加熱プレートの外面は、前記第２の髪接触面の第１の部分を形成し、
前記第１の加熱プレートは、前記第１のアーム上に配置されており、かつ前記第２の加熱プレートは、前記第２のアーム上に配置されており、前記第１および第２のアームが髪の一部を加熱するために閉ポジションにある場合に、前記第１および第２の加熱プレートは、互いに隣接し、
髪の当該部分を冷却するために、前記第１のアームハウジングは第１および第２の冷却部材をさらに備えており、第１の冷却部材は、前記第１の髪接触面の第２の部分を形成する表面を有し、かつ前記第２の冷却部材は、前記第１の髪接触面の第３の部分を形成する表面を有しており、前記第１および第２の冷却部材は、前記第１のアームの前記長手方向軸線に交差する方向において前記第１の髪接触面の前記第１の部分が前記第１の髪接触面の前記第２の部分および前記第３の部分の間に位置決めされるように、前記第１のアーム上に配置されており、かつ、
前記第１のアームはヒートブリッジをさらに備えており、該ヒートブリッジは、前記第１のヒータの後方において前記第１のアームの前記内部空間内において、前記第１および第２の冷却部材の間に延在しており、かつ前記第１の冷却部材によって得られた熱を前記ヒートブリッジを介して前記第２の冷却部材へ伝達できるよう構成された材料から形成されており、
前記ヒートブリッジは、流体を含むヒートパイプを備えていることを特徴とするヘアスタイリング装置。
【請求項２】
前記第１の髪接触面の前記第２の部分および前記第３の部分の少なくとも１つは、湾曲しており、それによって、使用時に、前記ヘアスタイリング装置が略直線様式で髪の一部に沿って移動されるにつれて髪の当該部分がカールされることを特徴とする請求項１に記載のヘアスタイリング装置。
【請求項３】
前記第１の髪接触面の前記第２の部分および前記第３の部分の少なくとも１つは、平坦であることを特徴とする請求項１または請求項２に記載のヘアスタイリング装置。
【請求項４】
前記第２のアームは第３および第４の冷却部材を備えており、
前記第１および第２のアームが閉ポジションにある場合に前記第１および第３の冷却部材が互いに近接するように前記第１の冷却部材は前記第１の髪接触面に配置されかつ前記第３の冷却部材は前記第２のアームに配置されており、かつ、
前記第１および第２のアームが閉ポジションにある場合に前記第２および第４の冷却部材が互いに近接するように、前記第２の冷却部材は前記第１のアームに配置されかつ前記第４の冷却部材は前記第２のアームに配置されていることを特徴とする請求項１から請求項３のいずれか一項に記載のヘアスタイリング装置。
【請求項５】
前記ヒートブリッジは、伝導プレートまたは伝導ロッドを備えることを特徴とする請求項１から請求項４のいずれか一項に記載のヘアスタイリング装置。
【請求項６】
前記ヒートブリッジは、１つ以上の冷却フィンを備えることを特徴とする請求項１から請求項５のいずれか一項に記載のヘアスタイリング装置。
【請求項７】
前記第１の髪接触面の前記第１の部分および第２の髪接触面の前記第１の部分は、平坦であり、かつ前記第１の髪接触面の前記第２の部分は、凸状であり、かつ前記第２の髪接触面は、前記第１の髪接触面の前記第２の部分に対応するポジションにおいて相補的な凹状を有することを特徴とする請求項１または請求項２に記載のヘアスタイリング装置。
【請求項８】
前記第１の髪接触面の凸状の前記第２の部分は、２ｍｍから１０ｍｍの半径を有することを特徴とする請求項７に記載のヘアスタイリング装置。
【請求項９】
前記第１の髪接触面の前記第１の部分は、湾曲していることを特徴とする請求項１から請求項６のいずれか一項に記載のヘアスタイリング装置。
【請求項１０】
前記第１および第２の冷却部材の一方または両方が、前記第１のアームの前記長手方向軸線の少なくとも一部に沿って延在していることを特徴とする請求項１から請求項９のいずれか一項に記載のヘアスタイリング装置。
【請求項１１】
前記第１および第２の冷却部材は伝導性を有することを特徴とする請求項１から請求項１０のいずれか一項に記載のヘアスタイリング装置。
【請求項１２】
前記第１および第２の髪接触面は、前記第１の髪接触面および前記第１のアーム間の移動を可能にするようかつ前記第２の髪接触面および前記第２のアーム間の移動を可能にするよう、弾性サスペンションに支持されることを特徴とする請求項１から請求項１１のいずれか一項に記載のヘアスタイリング装置。
【請求項１３】
前記第１の加熱プレートは、前記第１のアームの前記長手方向軸線の長さの少なくとも一部に沿って延在し、かつ前記第２の加熱プレートは、前記第２のアームの前記長手方向軸線の長さの少なくとも一部に沿って延在することを特徴とする請求項１から請求項１２のいずれか一項に記載のヘアスタイリング装置。
【請求項１４】
前記第１および第２の加熱プレートは、少なくとも１６０℃に髪を加熱するよう構成されており、かつ、
前記第１または第２の冷却部材は、髪が前記第１および第２の加熱プレートによって加熱された後、髪の温度を９０℃から１６０℃にするよう構成されていることを特徴とする請求項１から請求項１３のいずれか一項に記載のヘアスタイリング装置。
【請求項１５】
前記第１のヒータと前記第１の冷却部材との間における断熱材と、前記第１の加熱ヒータと前記第２の冷却部材との間における断熱材と、をさらに備えることを特徴とする請求項１から請求項１４のいずれか一項に記載のヘアスタイリング装置。
【外国語明細書】
2018047321000001.pdf